(57)【要約】  本発明は、定格プレス力の少なくとも８０％でプレスを運転するための方法、特に鍛造クランクプレスのような、工作物を変形、特に鍛造するためのクランクプレスを運転するための方法に関し、プレスはサーボ駆動装置と、このサーボ駆動装置と工作物の間に配置された、プレスの運転中に動く質量系とを備え、質量系の質量が少なくともスライドによっておよび少なくとも駆動軸によって形成され、質量系が少なくとも一時的にサーボ駆動装置によって駆動され、変形工程のために定格プレス力の最大で８０％がサーボ駆動装置によって供され、変形工程の際に定格プレス力の少なくとも８０％が供されるように、変形工程の前に質量系の質量がサーボ駆動装置によって加速される。
2018535098.tif 000002
【特許請求の範囲】
【請求項１】
定格プレス力の少なくとも８０％でプレスを運転するための方法、特に鍛造クランクプレスのような、工作物を変形、特に鍛造するためのクランクプレスを運転するための方法であって、
前記プレスがサーボ駆動装置と、このサーボ駆動装置と工作物の間に配置された、前記プレスの運転中に動く質量系とを備え、
前記質量系の質量が少なくともスライドによっておよび少なくとも駆動軸によって形成され、
前記質量系が少なくとも一時的に前記サーボ駆動装置によって駆動され、
変形工程のために定格プレス力の最大で８０％が前記サーボ駆動装置によって供され、
変形工程の際に定格プレス力の少なくとも１００％が供されるように、変形工程の前に前記質量系の質量が前記サーボ駆動装置によって加速される、
上記方法。
【請求項２】
プレスの定格プレス力を高めるための方法、特に鍛造クランクプレスのような、工作物を変形、特に鍛造するためのクランクプレスの定格プレス力を高めるための方法であって、
前記プレスがサーボ駆動装置と、このサーボ駆動装置と工作物の間に配置された、前記プレスの運転中に動く質量系とを備え、
前記質量系の質量が少なくともスライドによっておよび少なくとも駆動軸によって形成され、
前記質量系が少なくとも一時的に前記サーボ駆動装置によって駆動され、
高められた定格プレス力が前記サーボ駆動装置と前記質量系によって割当量に応じて提供され、
８０％の定格プレス力と少なくとも１００％の定格プレス力の差が、前記質量系の質量の回転数を高めることによっておよび／または前記質量系の質量を増大することによって調整される、
上記方法。
【請求項３】
変形工程の際に放出された前記質量系のエネルギが次の変形工程まで前記サーボ駆動装置によって前記質量系に再び供給されることを特徴とする請求項１または２に記載の方法。
【請求項４】
前記プレスが連続的に回転するプレスとして運転され、
サイクルの終わりに前記質量系に含まれるエネルギが、前記プレスの連続的な回転によって次のサイクルに受け渡されることを特徴とする請求項１〜３の少なくとも一項に記載の方法。
【請求項５】
クランク軸が前記サーボ駆動装置によって駆動され、
前記スライドが前記クランク軸によって駆動され
変形工程の外でおよび変形工程中に、精々、必要なトルクの最大で８０％のトルクが、前記サーボ駆動装置から前記クランク軸に加えられることを特徴とする請求項１または２に記載の方法。
【請求項６】
前記プレスの自己遠心質量が前記スライドによっておよび特に前記スライドと前記駆動軸と好ましくは追加質量によって形成されることを特徴とする請求項１〜５の少なくとも一項に記載の方法。
【請求項７】
前記質量系に含まれる運動エネルギを利用すべきであり、その都度必要な変形エネルギの全部を電源網から調達すべきではないことを特徴とする請求項１〜６の少なくとも一項に記載の方法。
【請求項８】
変形工程が前記プレスの定格出力の少なくとも８０％を必要とする場合、前記工作物が前記サーボ駆動装置の駆動出力によって割当量に応じておよび前記質量系の運動エネルギの放出下で割当量に応じて変形されることを特徴とする請求項１に記載の方法。
【請求項９】
変形の際に、前記プレスの定格出力の少なくとも２０％の範囲内で、前記質量系から運動エネルギが放出されることを特徴とする請求項１および／または２に記載の方法。
【請求項１０】
プレス、特に鍛造クランクプレスのような、工作物を変形、特に鍛造するためのクランクプレスであって、
前記プレスがサーボ駆動装置を備え、前記プレスが前記サーボ駆動装置と工作物の間に配置された、前記プレスの運転中に動く質量系を備え、前記質量系の質量が少なくともスライドによっておよび少なくとも駆動軸によって形成されている、プレスにおいて、
前記サーボ駆動装置が変形工程のためにプレスの定格プレス力の最大で８０％を提供し、
前記質量系が前記サーボ駆動装置による加速の結果として、前記プレスの定格プレス力の少なくとも１０％を変形工程のために提供することを特徴とするプレス。
【請求項１１】
前記サーボ駆動装置が前記駆動軸に連結されていることを特徴とする請求項１０に記載のプレス。
【発明の詳細な説明】
【技術分野】
【０００１】
本発明は、請求項１または２に記載のプレスを運転するための方法と、請求項１０に記載のプレスに関する。
【背景技術】
【０００２】
独国特許発明第１０２００９０４９１４６Ｂ３号明細書から、サーボプレスが知られている。この場合、運動経過を選択または決定するために、スライド運動に影響が及ぼされる。例えば、部品搬送を容易にするために、スライドの下降速度またはスライドの上昇速度が変更される。
【発明の概要】
【発明が解決しようとする課題】
【０００３】
本発明の課題は、プレスの出力が比較的に高いにもかかわらず、サーボ駆動装置とその変圧整流器を小さく、ひいては低コストになるように採寸することを可能にする、プレスを運転するための方法またはプレスを提案することである。本発明の課題は特に、サーボ駆動装置と定格プレス力の比を最適化することである。
【課題を解決するための手段】
【０００４】
この課題は請求項１または２または１０の特徴によって解決される。それぞれの従属請求項には、有利で合目的な発展形態が記載されている。
【０００５】
定格プレス力の少なくとも８０％でプレスを運転するための本発明に係る方法、特に鍛造クランクプレスのような、工作物を変形、特に鍛造するためのクランクプレスを運転するための本発明に係る方法において、プレスがサーボ駆動装置と、このサーボ駆動装置と工作物の間に配置された、プレスの運転中に動く質量系とを備え、質量系の質量が少なくともスライドによっておよび少なくとも駆動軸によって形成され、質量系が少なくとも一時的にサーボ駆動装置によって駆動され、変形工程のために定格プレス力の最大で８０％がサーボ駆動装置によって供され、変形工程の際に定格プレス力の少なくとも１００％が供されるように、変形工程の前に質量系の質量がサーボ駆動装置によって加速される。これにより、プレスの最大定格プレス力と比較して最大出力のサーボ駆動装置を小さく採寸することができる。これによって、サーボ駆動装置と、このサーボ駆動装置の手前に接続配置された変圧整流器が、プレスの定格プレス力で測定して、低コストの部品になる。
【０００６】
プレスを運転するための本発明に係る方法、特に鍛造クランクプレスのような、工作物を変形、特に鍛造するためのクランクプレスを運転するための本発明に係る方法において、プレスがサーボ駆動装置と、このサーボ駆動装置と工作物の間に配置された、プレスの運転中に動く質量系とを備え、質量系の質量が少なくともスライドによっておよび少なくとも駆動軸によって形成され、質量系が少なくとも一時的にサーボ駆動装置によって駆動され、高められた定格プレス力がサーボ駆動装置と質量系によって割当量に応じて提供され、８０％の定格プレス力と少なくとも１００％の定格プレス力の差が、質量系の質量の回転数を高めることによっておよび／または質量系の質量を増大することによって調整される。これにより、プレスの最大定格プレス力と比較して最大出力のサーボ駆動装置を小さく採寸することができる。これによって、サーボ駆動装置と、このサーボ駆動装置の手前に接続配置された変圧整流器が、プレスの定格プレス力で測定して、低コストの部品になる。
【０００７】
方法ではさらに、変形工程の際に放出された質量系のエネルギが次の変形工程までサーボ駆動装置によって質量系に再び供給される。これにより、プレスの連続的で中断のない運転が可能である。
【０００８】
さらに、プレスが連続的に回転するプレスとして運転される。これにより、サイクルの終わりに質量系が有する動的エネルギが、次のサイクルに受け渡される。
【０００９】
さらに、クランク軸がサーボ駆動装置によって駆動され、変形工程の外でおよび変形工程中に、精々、１００％の定格プレス力のトルクよりも少なくとも２０％小さなトルクが、サーボ駆動装置からクランク軸に加えられる。このような方法を適用すると、サーボ駆動装置とその変圧整流器を、類似の定格プレス力を有するプレスのサーボ駆動装置および変圧整流器よりも非常に小さく採寸することができる。
【００１０】
さらに、プレスの自己遠心質量がスライドによっておよび特にスライドと駆動軸によって好ましくは追加質量によって形成される。これにより、エネルギを供給するために、十分な質量が供される。この質量は追加質量を使用する際に、既存のプレスでも後付けの方法で高めることができる質量である。
【００１１】
さらに、変形工程のために、質量系に含まれる運動エネルギを利用すべきであり、その都度必要な変形エネルギの全部を電源網から調達すべきではない。これにより、質量系から相当なエネルギ割当量を供することができる。
【００１２】
さらに、変形工程がプレスの定格出力の少なくとも８０％を必要とする場合、工作物がサーボ駆動装置の駆動出力によって割当量に応じておよび質量系の運動エネルギの放出下で割当量に応じて変形される。これにより、サーボ駆動装置をプレスの定格出力と比較して小さく採寸することができる。
【００１３】
変形の際に、少なくともプレスの定格出力の２０％の範囲内の運動エネルギが、質量系から放出される。これにより、質量系が変形のために大いに寄与する。
【００１４】
本発明に係るプレスの場合、サーボ駆動装置が変形工程のためにプレスの定格プレス力の最大で８０％を提供し、質量系が変形工程のためにサーボ駆動装置による加速の結果として、プレスの定格プレス力の少なくとも２０％を提供する。これにより、プレスの定格プレス力に関連して、サーボ駆動装置をその最大出力に関して小さく採寸することができる。これによって、サーボ駆動装置と、このサーボ駆動装置の手前に接続配置された変圧整流器が、プレスの定格プレス力で測定して、低コストの部品になる。
【００１５】
サーボ駆動装置は駆動軸に連結されている。これにより、サーボ駆動装置は質量系に直接接続され、この質量系に直接作用することができる。
【００１６】
概略的に図示した実施の形態に基づいて本発明をさらに詳しく説明する。
【図面の簡単な説明】
【００１７】
【図１】プレスについての、サーボ駆動装置の回転数をスライドの位置に対して示すグラフである。このプレスはスライドが上死点にある位置から動き始める。
【図２】プレスについての、サーボ駆動装置の回転数をスライドの位置に対して示すグラフである。このプレスは、第１グラフに示したスライドの経過の進行方向で、１０回転／分の回転数で上死点を通過する位置からさらに回転する。
【発明を実施するための形態】
【００１８】
図１に示すグラフＤ１は、プレスにおける、１分間あたりの回転で表示されるサーボ駆動装置の回転数ＤＺをスライドの位置ＳＴに対して示している。この場合、プレスはスライドが上死点ＯＴ１にある位置Ｉから動き始める。サーボ駆動装置の回転数ＤＺは停止状態から７５回転／分まで連続的に上昇する。この場合、サーボ駆動装置の後に支持された質量系内に含まれる運動エネルギも上昇増大する。方向転換点または下死点ＵＴ１の手前約５０ｍｍにあるスライドの位置ＩＩから、７５回転／分の回転数が保持される。スライドがおおよそ下死点ＵＴ１の手前１．５ｍｍにあるときに始まり、スライドがおおよそ下死点ＵＴ１の前方約２．５〜４．５ｍｍにあるときに終わる変形プロセスＵＦＰ１の間、回転数ＤＺは７５回転／分から６０回転／分へ２０％だけ低下する。というのは、変形プロセスのために、サーボ駆動装置によって供されるエネルギのほかに、質量系に蓄えられたエネルギが必要となるからである。続いて、サーボ駆動装置の回転数ＤＺはさらに低下する。というのは、部品搬送と受型の手入れのために十分な時間ウインドウを確保するために、サーボ駆動装置の使用下ではエネルギ回収が行われるからである。エネルギ回収の間、サーボ駆動装置はジェネレータとして運転される。部品搬送と受型の手入れが終了するや否や、スライドの位置ＩＩＩから  −  スライドが再び上死点ＯＴ２に達する前に  −  サーボ駆動装置の回転数を上昇させることによって再びエネルギが質量系に供給される。
【００１９】
これに相応して、図２に示した第２のグラフＤ２に示すように、スライドは第２サイクルの開始時に、１０回転／分のサーボ駆動装置の回転数で、ひいてはエネルギを既に有する状態で上死点ＯＴ２を通過する。図２に示した第２サイクルでは、サーボ駆動装置はその後、７５回転／分の回転数へさらに上昇し、この場合質量系の運動エネルギがさらに増大する。それ以降の経過は、図１を参照して説明した経過と同じである。より強力な回転数低下が再び下死点ＵＴ２の周辺で行われる。というのは、質量系がエネルギを放出するからである。続いて、回転数はエネルギ回収によって再びさらに低下し、そして再び上昇し、それによってスライドは１０回転／分のサーボ駆動装置の回転数で、上死点ＯＴ３を通過する。
【符号の説明】
【００２０】
Ｄ１  第１グラフ
Ｄ２  第２グラフ
ＤＺ  サーボ駆動装置の回転数
ＯＴ１  第１サイクルの上死点
ＯＴ２  第２サイクルの上死点
ＳＴ  スライドの位置
ＵＦＰ１  第１サイクルの変形プロセス
ＵＦＰ２  第２サイクルの変形プロセス
ＵＴ１  第１サイクルの下死点
ＵＴ２  第２サイクルの下死点
Ｉ  第１サイクルのスライドの第１位置
ＩＩ  第１サイクルのスライドの第２位置
ＩＩＩ  第１サイクルのスライドの第３位置
【図１】
2018535098.tif 000003
【図２】
2018535098.tif 000004
【国際調査報告】
2018535098.tif 000005
2018535098.tif 000006
2018535098.tif 000007
2018535098.tif 000008
2018535098.tif 000009
2018535098.tif 000010